(57)【要約】【課題】作業性が優れた電動工具の提供。【解決手段】モータ３を収容するハウジング２と、ビットが装着される先端工具装着部５１と、ハウジング２に設けられモータ３の回転を制御するダイヤル２Ｂと、を備え、モータ３と先端工具装着部５１との間には、モータ３により回転駆動されるハンマ４２と、先端工具装着部５１と同軸一体回転すると共にハンマ４２が回転した際にハンマ４２と接触し駆動力が伝達されるアンビル５１と、が介在し、ダイヤル２Ｂは、断続的にハンマ４２がアンビル５１に接触するようにモータ３を回転させる第一のモードと、連続的にハンマ４２がアンビル５１に接触するようにモータ３を回転させる第二のモードと、にモータ３を制御するインパクトドライバ１を提供する。【選択図】図１
2011177796.tif 000002
【特許請求の範囲】
【請求項１】
モータと、
該モータを収容するハウジングと、
先端工具が装着される先端工具装着部と、
該ハウジングに設けられ該モータの回転を制御する切替部と、を備え、
該モータと該先端工具装着部との間には、該モータにより回転駆動されるハンマと、該先端工具装着部と同軸一体回転すると共に該ハンマが回転した際に該ハンマと接触し駆動力が伝達されるアンビルと、が介在し、
該切替部は、断続的に該ハンマが該アンビルに接触するように該モータを回転させる第一のモードと、連続的に該ハンマが該アンビルに接触するように該モータを回転させる第二のモードと、に該モータを制御することを特徴とする電動工具。
【請求項２】
モータと、
該モータを収容するハウジングと、
先端工具が装着される先端工具装着部と、
該モータへの通電を制御するトリガスイッチと、
該モータの回転を制御する切替部と、
該先端工具装着部に装着された該先端工具を照射するライトと、を備え、
該ハウジングは該モータが収容される胴体部と、該胴体部から該モータの回転軸と交差する方向に延出されるハンドル部とを有し、
該モータと該先端工具装着部との間には、該モータにより回転駆動されるハンマと、該先端工具装着部と同軸一体回転すると共に該ハンマが回転した際に該ハンマと接触し駆動力が伝達されるアンビルと、が介在し、
該胴体部には、該ハンマと該アンビルとを内蔵するハンマケースが設けられ、
該トリガスイッチは、該ハウジングにおいて該ハンドル部の根元付近に設けられ、
該切替部及び該ライトは該ハンマケースと該トリガスイッチとの間に配置されていることを特徴とする電動工具。
【請求項３】
モータと、
該モータを収容するハウジングと、
該モータの前側に配置され該モータにより回転駆動されるハンマと、
該ハンマの前側に該ハンマと同軸回転可能に配置され、該ハンマが回転した際に該ハンマと接触し駆動力が伝達されるアンビルと、
該ハンマ及び該アンビルを収容するハンマケースと、
該アンビルと一体回転すると共に該ハンマケースから前側に向けて突出し先端工具が装着可能な先端工具装着部と、
該先端工具装着部に装着された該先端工具を照射するライトと、を備え、
該ハウジングは、該ハンマケースを覆うように該アンビルの前方位置まで延出され、
該ライトは該アンビルの前方位置で該ハウジングに保持されていることを特徴とする電動工具。
【発明の詳細な説明】
【技術分野】
【０００１】
本発明は電動工具に関し、特に打撃力を備えた回転駆動力を出力する電動工具に関する。
【背景技術】
【０００２】
電動工具の一種であるインパクトドライバは、例えば特許文献１に示されるように、切替操作によりモータの正転、逆転を制御するレバーを備えている。このモータの正転・逆転の他にも、インパクトドライバは衝撃を伴いながら回転する「インパクト」のモードと、一定方向に定常回転する「ドリル」のモードとを切り替える切替部を備えている。またインパクトドライバにおいては、作業状態の確認のため先端工具であるドライバビットを照射するライト等の照明を備えている。
【先行技術文献】
【特許文献】
【０００３】
【特許文献１】実開平０４−６０６７９号公報
【発明の概要】
【発明が解決しようとする課題】
【０００４】
特許文献１に示されるような構成では、トリガを操作する指と異なる指、若しくはトリガを操作する手とは異なる手でレバーを操作する必要があり、操作性が悪く作業性が劣っていた。また上述のモードを切り替える際にも、同様に、異なる指若しくは異なる手で操作する必要があった。またインパクトドライバにおいて、ドライバビットを照射するライトの位置によっては照射性が悪く、好適にドライバビットを照射することができずに、作業性が劣る場合があった。よって本発明は、作業性が優れた電動工具を提供することを目的とする。
【課題を解決するための手段】
【０００５】
上記課題を解決するために本発明は、モータと、該モータを収容するハウジングと、先端工具が装着される先端工具装着部と、該ハウジングに設けられ該モータの回転を制御する切替部と、を備え、該ハウジングは該モータが収容される胴体部と、該胴体部から該モータの回転軸と交差する方向に延出されるハンドル部とを有し、該モータと該先端工具装着部との間には、該モータにより回転駆動されるハンマと、該先端工具装着部と同軸一体回転すると共に該ハンマが回転した際に該ハンマと接触し駆動力が伝達されるアンビルと、が介在し、該切替部は該胴体部に設けられると共に、断続的に該ハンマが該アンビルに接触するように該モータを回転させる第一のモードと、連続的に該ハンマが該アンビルに接触するように該モータを回転させる第二のモードと、に該モータを制御する電動工具を提供する。
【０００６】
このような構成によると、第一のモード（「インパクト」のモード）と第二のモード（「ドリル」のモード）とを容易に切り替えることができ、作業性を増すことができる。
【０００７】
また上記課題を解決するために、モータと、該モータを収容するハウジングと、先端工具が装着される先端工具装着部と、該モータへの通電を制御するトリガと、該モータの回転を制御する切替部と、該先端工具装着部に装着された該先端工具を照射するライトと、を備え、該ハウジングは該モータが収容される胴体部と、該胴体部から該モータの回転軸と交差する方向に延出されるハンドル部とを有し、該モータと該先端工具装着部との間には、該モータにより回転駆動されるハンマと、該先端工具装着部と同軸一体回転すると共に該ハンマが回転した際に該ハンマと接触し駆動力が伝達されるアンビルと、が介在し、該胴体部には、該ハンマと該アンビルとを内蔵するハンマケースが設けられ、該トリガは、該ハウジングにおいて該ハンドル部の根元付近に設けられ、該切替部及び該ライトは該ハンマケースと該トリガとの間に配置されている電動工具を提供する。
【０００８】
このような構成によると、トリガ近傍位置に切替部が配置されるため、トリガを操作する指で切替部を操作することができ、切替部の操作性を増すことができる。またライトを上述の位置に配置することにより、先端工具装着部近傍位置に配置されるので、先端工具装着部に装着される先端工具を好適に照射することができ、作業性を増すことができる。
【０００９】
また上記課題を解決するために、モータと、該モータを収容するハウジングと、該モータの前側に配置され該モータにより回転駆動されるハンマと、該ハンマの前側に該ハンマと同軸回転可能に配置され、該ハンマが回転した際に該ハンマと接触し駆動力が伝達されるアンビルと、該ハンマ及び該アンビルを収容するハンマケースと、該アンビルと一体回転すると共に該ハンマケースから前側に向けて突出し先端工具が装着可能な先端工具装着部と、該先端工具装着部に装着された該先端工具を照射するライトと、を備え、該ハウジングは、該ハンマケースを覆うように該アンビルの前方位置まで延出され、該ライトは該アンビルの前方位置で該ハウジングに保持されている電動工具を提供する。
【００１０】
このような構成によると、ハンマケースの前側までハウジングが延びているので確実にハンマケースをハウジングで保持することができる。またハウジングがハンマケースの前側まで延びているため、ライトを先端工具装着部近傍位置に配置することができる。よってライトで先端工具装着部に装着される先端工具を好適に照射することができ、作業性の向上を図ることができる。またハウジングでライトを保持することができるため、簡易な構成で確実にライトを保持することができる。
【発明の効果】
【００１１】
本発明の電動工具によれば、作業性を増すことができる。
【図面の簡単な説明】
【００１２】
【図１】本発明の実施の形態に係るインパクトドライバの側面断面図。
【図２】本発明の実施の形態に係るインパクトドライバの側面図。
【図３】本発明の実施の形態に係るインパクトドライバの上面図。
【図４】本発明の実施の形態に係るインパクトドライバのトリガ周辺を示す部分側面断面図。
【図５】本発明の実施の形態に係るインパクトドライバの第一の変形例に係る側面図。
【図６】本発明の実施の形態に係るインパクトドライバの第二の変形例に係る側面図。
【図７】本発明の実施の形態に係るインパクトドライバの第三の変形例に係る側面図。
【図８】本発明の実施の形態に係るインパクトドライバの第四の変形例に係る側面図。
【発明を実施するための形態】
【００１３】
以下、本発明の実施の形態に係る電動工具について、図１乃至図４に基づき説明する。図１に示される電動工具であるインパクトドライバ１は、ハウジング２と、モータ３と、ハンマ部４と、アンビル部５と、スイッチ機構６とから主に構成されている。ハウジング２は樹脂製であって図２に示されるようにインパクトドライバ１の外郭を成しており、略筒状の胴体部２１と、胴体部２１から延出されるハンドル部２２とから主に構成されている。
図１に示されるように、胴体部２１内には、その長手方向がモータ３の軸方向と一致するようにモータ３が配置されると共に、モータ３の軸方向一端側に向かってハンマ部４、アンビル部５が並んで配置されている。以下の説明においてはモータ３からハンマ部４、アンビル部５に向かう方向を前側として、モータ３の軸方向と平行な方向を前後方向と定義する。また胴体部２１からハンドル部２２が延びる方向を下側として上下方向を定義し、図３に示されるように、平面図において前後方向と直交する方向を左右方向と定義する。
【００１４】
胴体部２１内において前側位置には、ハンマ部４及びアンビル部５が内蔵されるハンマケース２３が配置されている。ハンマケース２３は、金属製であって略漏斗形状を成し、漏斗形状の先端が前側を向くように配置されており、前端部分に後述の先端工具装着部５１が前側へ突出する開口２３ａが形成されていると共に、開口２３ａを画成する内壁にアンビル部５を回転可能に支持するメタル２３Ａを有している。
【００１５】
胴体部２１において、開口２３ａ近傍位置であってハンマケース２３の下方位置には、ライト２Ａが保持されている。ライト２Ａは、後述の先端工具装着部５１に図示せぬ先端工具であるビットが装着された際に、ビットの前端付近を照射可能に構成されている。また胴体部２１においてライト２Ａの下方位置には、切替部であるダイヤル２Ｂが回転操作可能に配置されている。胴体部２１によりライト２Ａを保持する構造であるため、特にライト２Ａを保持する部材を別途設ける必要が無く、簡単な構成で確実にライト２Ａを保持することができる。またライト２Ａ及びダイヤル２Ｂは、左右方向において胴体部２１の略中央位置にそれぞれ配置されている。また胴体部２１には、図２に示されるように、後述のファン３２により胴体部２１内に外気を吸入・排出する吸気口２１ａ及び排気口２１ｂが形成されている。
【００１６】
ハンドル部２２は、胴体部２１の前後方向略中央位置から下側に向けて延出され胴体部２１と一体に構成されており、図１に示されるようにその内部にスイッチ機構６が内蔵されると共に、その延出方向先端位置にモータ３等に電力を供給する電池２４が着脱可能に装着されている。図４に示されるように、ハンドル部２２において、胴体部２１からの根元部分であって前側位置には、作業者の操作箇所となるトリガ２５が設けられている。またトリガ２５が設けられた位置は、前述のダイヤル２Ｂの下方であってダイヤル２Ｂ近傍位置である。よって一の指でトリガ２５及びダイヤル２Ｂをそれぞれ操作することが可能である。
【００１７】
また図２、図３に示されるように、胴体部２１の上部かつ後側には、モータ３の回転状態を示す表示部２６が配置されている。表示部２６は、図３に示されるように、モータ３の回転方向を示すアイコン２６Ａと、後述の「インパクト」のモードと「ドリル」のモードを示すそれぞれのアイコン群２６Ｂ、アイコン群２６Ｃとが表示される液晶表示部を備えている。
【００１８】
図１に示されるように、モータ３は、出力軸部３１を備えるロータ３Ａとロータ３Ａを駆動するステータ３Ｂとから主に構成されるブラシレスモータであり、出力軸部３１の軸方向が前後方向と一致するように胴体部２１内に配置されている。出力軸部３１はロータ３Ａの前後に突出しており、その突出した箇所でベアリングにより胴体部２１に回転可能に軸支されている。また出力軸部３１において、前側に突出している箇所には、出力軸部３１と同軸一体回転するファン３２が設けられており、前側に突出している箇所の最前端位置にはピニオンギア３３が出力軸部３１と同軸一体回転するように設けられている。
【００１９】
ハンマ部４は、ギア機構４１と、ハンマ４２とから主に構成されており、モータ３の前側であってハンマケース２３内に内蔵されるように配置されている。ギア機構４１は、一のアウターギア４１Ａを共有する二つの遊星歯車機構４１Ｂ、４１Ｃから構成されている。アウターギア４１Ａは、ハンマケース２３内に内蔵されると共に胴体部２１に固定されている。一の遊星歯車機構４１Ｂは、アウターギア４１Ａと噛合するようにアウターギア４１Ａ内に配置され、ピニオンギア３１Ａを太陽ギアとして用いている。他の遊星歯車機構４１Ｃは、アウターギア４１Ａと噛合するようにアウターギア４１Ａ内であって一の遊星歯車機構４１Ｂの前側に配置され、一の遊星歯車機構４１Ｂの出力軸を太陽ギアとして用いている。
【００２０】
ハンマ４２は、他の遊星歯車機構４１Ｃの遊星キャリアの前面に規定されており、前側に向けて突出すると共に他の遊星歯車機構４１Ｃの遊星キャリアの回転中心からずれた位置に配置された係合突起４２Ａを有している。
【００２１】
アンビル部５は、先端工具装着部５１と、アンビル５２とから主に構成されており、ハンマ部４の前方に配置されている。先端工具装着部５１は、円筒状に構成され、ハンマケース２３の開口２３ａ内にメタル２３Ａを介して回転可能に支持されている。また先端工具装着部５１は、前端から後方へと向けて穿設され、図示せぬビットが挿入される穿孔５１ａを有すると共に、前端部分に図示せぬビットを保持するチャック５１Ａを有している。
【００２２】
アンビル５２は、先端工具装着部５１の後方であってハンマケース２３内に位置するように先端工具装着部５１と一体に構成されており、後側に向けて突出すると共に先端工具装着部５１の回転中心からずれた位置に配置された被係合突起５２Ａを有している。この被係合突起５２Ａのアンビル５２における位置は、係合突起４２Ａの回転軌跡と重なる位置である。よってハンマ４２が回転すると、係合突起４２Ａと被係合突起５２Ａとが接触し、ハンマ４２の回転力がアンビル５２に伝達される。
【００２３】
スイッチ機構６は、基板６１と、トリガスイッチ６２と、スイッチング基板６３及び、これらを接続する配線とから構成されている。基板６１は、ハンドル部２２内において電池２４近傍位置に配置されており、電池２４に接続されると共にライト２Ａ、ダイヤル２Ｂ、トリガスイッチ６２、スイッチング基板６３、及び表示部２６に接続されている。このような接続状態により、基板６１は、ダイヤル２Ｂ及びトリガスイッチ６２からの信号に基づきライト２Ａ及びスイッチング基板６３に電力を供給すると共にその動作状態を表示部２６に表示している。
【００２４】
トリガスイッチ６２は、ハンドル部２２内においてトリガ２５に接続されるように設けられており、トリガ２５の動作に基づき、基板６１に信号を送信している。スイッチング基板６３は、スイッチング素子６３Ａを複数備え、基板６１からの信号に基づき、モータ３の回転を制御している。
【００２５】
上記構成のインパクトドライバ１を使用するには、先ずハンドル部２２を把持した状態で、例えば人差し指によりダイヤル２Ｂを操作し、モータ３の回転のモードを選択する。ここで回転のモードとは、モータ３の正転、逆転、及び、第一のモードである「インパクト」のモードと第二のモードである「ドリル」のモードをいう。「インパクト」のモードとは、モータ３を断続的に回転させ、ハンマ４２の係合突起４２Ａをアンビル５２の被係合突起５２Ａに断続的に接触させて、ハンマ４２とアンビル５２との間で回転方向への衝撃力を生じさせながら先端工具装着部５１に回転力を付与することをいう。また「ドリル」のモードとは、モータ３を定速回転させ、ハンマ４２の係合突起４２Ａをアンビル５２の被係合突起５２Ａに常時当接させた状態でハンマ４２からアンビル５２に回転力を伝達して、先端工具装着部５１に回転力を付与することをいう。また「インパクト」のモードにおいては、その衝撃力の強さに応じた打撃強度１〜４を選択することができ、「ドリル」のモードにおいては、その回転速度を速度１〜３で選択することができる。
【００２６】
ダイヤル２Ｂを操作して、例えば正転かつ「ドリル」速度１というモードを選択すると、表示部２６においてアイコン２６Ａで「正転」が表示されると共に、アイコン群２６Ｃで「速度１」が表示される。また逆転かつ「インパクト」打撃強度４というモードを選択すると表示部２６においてアイコン２６Ａで「逆転」が表示されると共に、アイコン群２６Ｂで「打撃強度４」が表示される。
【００２７】
ダイヤル２Ｂを操作した後に、その操作した指をトリガ２５に掛け、トリガ２５を僅かに引くことにより、ライト２Ａが点灯する。ライト２Ａは、アンビル５２より前方位置となる先端工具装着部５１近傍に配置されているため、先端工具装着部５１の前側に位置する図示せぬビット及び被加工部材に対してその照射範囲を広く採ることができ、好適に作業箇所を照射することができる。
【００２８】
その後に更にトリガ２５を引くことにより、スイッチング基板６３に電力が供給されてモータ３が回転し、先端工具装着部５１が駆動されて作業が行われる。
【００２９】
上述のようにダイヤル２Ｂにより、複数のモードを容易に切り替えることができる。またダイヤル２Ｂとトリガ２５とは近接しているため、一の指でいずれをも操作することができるので操作性が向上し、作業性を増すことができる。またダイヤル２Ｂは、左右方向においてハンドル部２２の中央にあるため、右手、左手のいずれでハンドル部２２を把持したとしても、同様に好適に操作することができる。
【００３０】
本発明による電動工具は、上述の実施の形態に限定されず、特許請求の範囲に記載された範囲で種々の改良や変形が可能である。例えば図５に示されるように、ダイヤル２Ｂを、表示部２６位置に設けてもよい。このような構成によると、ダイヤル２Ｂを表示部２６と同時に視認できるため、モードの選択がより容易になる。またスイッチング基板６３を介してダイヤル２Ｂと基板６１（図１）とを接続するため、ダイヤル２Ｂと基板６１との間を接続する配線を省略することができ、軽量化を図ることができる。
【００３１】
また図６に示されるように、ダイヤル２Ｂを胴体部２１の後端面下方位置に配置してもよい。このような構成によると、ハンドル部２２を保持した際に、人差し指でトリガ２５を操作すると共に親指でダイヤル２Ｂを操作することができるので、常にトリガ２５から人差し指を離さずに、ダイヤル２Ｂを操作することができる。
【００３２】
また図７、図８に示されるように、ダイヤル２Ｂの操作を補完すべく、正転・反転を制御するスライドスイッチ２Ｃ（図７）や、プッシュスイッチ２Ｄ（図８）を設けてもよい。この構成においては、スライドスイッチ２Ｃやプッシュスイッチ２Ｄを親指で操作可能な位置に配置することにより、トリガ２５から人差し指を離すことなく正転・逆転のモードの変更を行うことができるため、操作性の悪化を招くことはなく、好適にモードを切り替えることができる。
【符号の説明】
【００３３】
１・・インパクトドライバ  ２・・ハウジング  ２Ａ・・ライト  ２Ｂ・・ダイヤル
２Ｃ・・スライドスイッチ  ２Ｄ・・プッシュスイッチ  ３・・モータ  ３Ａ・・ロータ
３Ｂ・・ステータ  ４・・ハンマ部  ５・・アンビル部  ６・・スイッチ機構
２１・・胴体部  ２１ａ・・吸気口  ２１ｂ・・排気口  ２２・・ハンドル部
２３・・ハンマケース  ２３Ａ・・メタル  ２３ａ・・開口  ２４・・電池
２５・・トリガ  ２６・・表示部  ２６Ａ・・アイコン  ２６Ｂ・・アイコン群
２６Ｃ・・アイコン群  ３１・・出力軸部  ３１Ａ・・ピニオンギア  ３２・・ファン
３３・・ピニオンギア  ４１・・ギア機構  ４１Ａ・・アウターギア
４１Ｂ・・遊星歯車機構  ４１Ｃ・・遊星歯車機構  ４２・・ハンマ
４２Ａ・・係合突起  ５１・・先端工具装着部  ５１Ａ・・チャック  ５１ａ・・穿孔
５２・・アンビル  ５２Ａ・・被係合突起  ６１・・基板  ６２・・トリガスイッチ
６３・・スイッチング基板  ６３Ａ・・スイッチング素子
【図１】
2011177796.tif 000003
【図２】
2011177796.tif 000004
【図３】
2011177796.tif 000005
【図４】
2011177796.tif 000006
【図５】
2011177796.tif 000007
【図６】
2011177796.tif 000008
【図７】
2011177796.tif 000009
【図８】
2011177796.tif 000010